(57)【要約】【課題】セキュリティ面において信頼性のおける非接触媒体処理システムを提供する。【解決手段】非接触媒体処理システム１は、親媒体１０、子媒体２０、非接触媒体処理機３０を備えて概略構成される。親媒体１０は、非接触通信機能を有し、各種情報を記憶する。子媒体２０は、親媒体１０と同様に非接触通信機能を有し、親媒体１０に応じて処理される。非接触媒体処理機３０は、親媒体１０と子媒体２０とが予め決められた通信エリア内に同時に存在するときに、親媒体１０の所定のメモリエリアやファイルに記述された情報を非接触通信により取得し、この取得した情報に基づいて子媒体２０に所定の処理、例えばキーカードとしてカード発行を行う。【選択図】図１
2007328607.tif 000002
【特許請求の範囲】
【請求項１】
非接触通信機能を有し、各種情報を記憶する親媒体と、
非接触通信機能を有し、前記親媒体に応じて処理される子媒体と、
前記親媒体と前記子媒体とが通信エリア内に同時に存在するときに、前記親媒体の所定のメモリエリアやファイルに記述された情報を非接触通信により取得し、この取得した情報に基づいて前記子媒体に処理を行う非接触媒体処理機とを備えたことを特徴とする非接触媒体処理システム。
【請求項２】
前記親媒体の所定のメモリエリアやファイルに記述された情報がプログラムコードであり、
前記非接触媒体処理機は、前記親媒体と前記子媒体とが通信エリア内に同時に存在するときに、前記親媒体から非接触通信により取得したプログラムコードに基づくプログラムを実行し、前記子媒体に対する処理を行うことを特徴とする請求項１記載の非接触媒体処理システム。
【請求項３】
前記子媒体をキーカードとして発行する情報又はプログラムが前記親媒体に記述されており、
前記非接触媒体処理機は、前記親媒体と前記子媒体とが通信エリア内に同時に存在するときに、前記親媒体から非接触通信により取得した情報又はプログラムに基づいて前記子媒体をキーカードとして発行することを特徴とする請求項１記載の非接触媒体処理システム。
【請求項４】
発行可能な媒体の種別ごとの権限が前記親媒体に設定されており、
前記非接触媒体処理機は、前記親媒体から非接触通信により取得した権限により発行できる媒体の種別を制限することを特徴とする請求項３記載の非接触媒体処理システム。
【請求項５】
発行されるキーカードに前記親媒体の情報の一部又は全部、又はこれらの情報から生成した情報を書き込むことを特徴とする請求項４記載の非接触媒体処理システム。
【請求項６】
前記子媒体を複数備え、
前記非接触媒体処理機のファームウェアのコードが前記複数の子媒体に分割して記憶されており、
前記非接触媒体処理機は、前記親媒体と前記複数の子媒体とが通信エリア内に同時に存在するときに、前記複数の子媒体から非接触通信により順次コードを読み取り、読み取ったコードを自身のメモリエリアに書き込むことを特徴とする請求項１記載の非接触媒体処理システム。
【請求項７】
前記子媒体を複数備え、
前記非接触媒体処理機は、前記親媒体と前記複数の子媒体とが通信エリア内に同時に存在するときに、自身のメモリエリアの情報を読み取り、読み取った情報を前記複数の子媒体に非接触通信により順次書き込むことを特徴とする請求項１記載の非接触媒体処理システム。
【発明の詳細な説明】
【技術分野】
【０００１】
本発明は、例えばカード式電気錠、自動改札機、電子マネーなどに採用される非接触媒体の情報を読み取り、この読み取った情報を元に判断し、各種処理を実行する非接触媒体処理システムに関するものである。
【背景技術】
【０００２】
従来の非接触媒体処理システムとして、例えばカード式電気錠、自動改札機、電子マネーなどに採用される非接触媒体の情報を読み取り、この読み取った情報を元に判断し、各種処理を実行するものが知られている。ここでは、カード式電気錠を例にとって説明する。カード式電気錠は、各所の電気錠ごとに割り当てた特定の暗号や施解錠情報等の各種データが記憶された非接触媒体のカードを用い、施解錠時にカードに記憶されている各種データ（例えば特定の暗号による施解錠データや使用者に関する情報など）を読み取り、読み取った各種データを正常に認証した場合のみ現在の施解錠状態や扉の開閉状態に応じて電気的に錠前を施解錠するものである。この種のカード式電気錠は、ピッキング等の不正な施解錠行為を防止し、且つ、鍵の複製が非常に困難なためセキュリティー面において信頼されている。そして、このようなカード式電気錠を用いたシステムとしては、例えば下記特許文献１に開示される出入管理システムが知られている。
【０００３】
特許文献１に開示される出入管理システム１０１は、図２に示すように、出入管理ゲートとしてのドア１０２と、ドア１０２に取り付けられた電気錠１０３と、ドア１０２を通過しようとする人の個人情報を識別する複数の個人識別装置として作用する複数の磁気カードリーダ１０４および１０５と、これら複数の磁気カードリーダ１０４および１０５に接続され、電気錠１０３を制御するカードコントローラ１０６とを備えて概略構成される。
【０００４】
カードコントローラ１０６は、電気錠１０３に接続された唯一の電気錠駆動部Ｋ（１０４，１０５）と、複数の磁気カードリーダ１０４および１０５のうちいずれかが識別した個人情報が、ドア１０３の通過を許可されている人の情報か否かを判定し、通過を許可されている人の情報であれば、電気錠駆動部Ｋ（１０４，１０５）に電気錠１０３を駆動する信号を発生させ、ドア１０３を開にする判定部１０７とを有している。また、カードコントローラ１０６には、管理ソフトウエアを搭載したコンピュータ１０８が通信ケーブル１０９で接続されている。
【０００５】
ところで、上記出入管理システム１０１のように、非接触媒体のカードを用いて電気錠の施解錠を行う場合には、各電気錠ごとの施解錠用のカードや各種管理用のカードを発行する必要がある。
【０００６】
そして、この種のカードの発行には、例えば図３に示すようなカード発行システム１１１が従来から用いられている。図３に示すように、カード発行システム１１１は、カード発行制御器１１２、カード発行器１１３、操作表示器１１４を備えて概略構成される。カード発行制御器１１２は、表示画面上に設けられたタッチキーを操作することにより、カードを発行するために必要な各種データが入力される。カード発行器１１３は、通信ケーブル１１５により操作表示器１１４を介してカード発行制御器１１２と接続される。
【０００７】
そして、カード発行する場合には、カード発行器１１３から新規のカードの発行許可を行うため、マスターカードをカード発行器１１３に読み込ませ、マスターカードの真正を認証する。このマスターカードの認証後、カード発行制御器１１２または操作表示器１１４を操作して各種データを入力すると、この入力された各種データに基づいてカードが自動的に発行される。
【特許文献１】特開２００１−２４１２２６号公報
【発明の開示】
【発明が解決しようとする課題】
【０００８】
しかしながら、上述した従来のカード発行システム１１１で使用するマスターカードは、発行できるカードの権限を設定してあるものの、カード発行器１１３のモードを発行モードに切り替えることが目的である。このため、カード発行器１１３でマスターカードが正常に読み込まれた場合、発行モードを解除するまで無条件でカードの作製が可能になる。その結果、作業員が誤って過剰な権限のカードを必要以上に発行したり、悪意のある作業員が不正利用を目的としてカードを発行するなど、内部犯罪に対するセキュリティが十分ではなかった。それ故、十分にセキュリティが確保できる環境下でマスターカードを管理しなければならず、必然的に大掛かりなセキュリティシステムを導入する必要があった。
【０００９】
そこで、本発明は上記問題点に鑑みてなされたものであり、簡易的な構成でセキュリティ面において信頼性のある非接触媒体処理システムを提供することを目的とするものである。
【課題を解決するための手段】
【００１０】
上記した目的を達成するために、請求項１に記載された非接触媒体処理システムは、非接触通信機能を有し、各種情報を記憶する親媒体と、
非接触通信機能を有し、前記親媒体に応じて処理される子媒体と、
前記親媒体と前記子媒体とが通信エリア内に同時に存在するときに、前記親媒体の所定のメモリエリアやファイルに記述された情報を非接触通信により取得し、この取得した情報に基づいて前記子媒体に処理を行う非接触媒体処理機とを備えたことを特徴とする。
【００１１】
請求項２に記載された非接触媒体処理システムは、請求項１の非接触媒体処理システムにおいて、
前記親媒体の所定のメモリエリアやファイルに記述された情報がプログラムコードであり、
前記非接触媒体処理機は、前記親媒体と前記子媒体とが通信エリア内に同時に存在するときに、前記親媒体から非接触通信により取得したプログラムコードに基づくプログラムを実行し、前記子媒体に対する処理を行うことを特徴とする。
【００１２】
請求項３に記載された非接触媒体処理システムは、請求項１の非接触媒体処理システムにおいて、
前記子媒体をキーカードとして発行する情報又はプログラムが前記親媒体に記述されており、
前記非接触媒体処理機は、前記親媒体と前記子媒体とが通信エリア内に同時に存在するときに、前記親媒体から非接触通信により取得した情報又はプログラムに基づいて前記子媒体をキーカードとして発行することを特徴とする。
【００１３】
請求項４に記載された非接触媒体処理システムは、請求項３の非接触媒体処理システムにおいて、
発行可能な媒体の種別ごとの権限が前記親媒体に設定されており、
前記非接触媒体処理機は、前記親媒体から非接触通信により取得した権限により発行できる媒体の種別を制限することを特徴とする。
【００１４】
請求項５に記載された非接触媒体処理システムは、請求項４の非接触媒体処理システムにおいて、
発行されるキーカードに前記親媒体の情報の一部又は全部、又はこれらの情報から生成した情報を書き込むことを特徴とする。
【００１５】
請求項６に記載された非接触媒体処理システムは、請求項１の非接触媒体処理システムにおいて、
前記子媒体を複数備え、
前記非接触媒体処理機のファームウェアのコードが前記複数の子媒体に分割して記憶されており、
前記非接触媒体処理機は、前記親媒体と前記複数の子媒体とが通信エリア内に同時に存在するときに、前記複数の子媒体から非接触通信により順次コードを読み取り、読み取ったコードを自身のメモリエリアに書き込むことを特徴とする。
【００１６】
請求項７に記載された非接触媒体処理システムは、請求項１の非接触媒体処理システムにおいて、
前記子媒体を複数備え、
前記非接触媒体処理機は、前記親媒体と前記複数の子媒体とが通信エリア内に同時に存在するときに、自身のメモリエリアの情報を読み取り、読み取った情報を前記複数の子媒体に非接触通信により順次書き込むことを特徴とする。
【発明の効果】
【００１７】
本発明の非接触媒体処理システムによれば、不用意に権限のない子媒体を発行したり、不正に子媒体を発行することを防止でき、十分なセキュリティ性が確保できる信頼性の高い非接触媒体処理システムを提供することができる。また、非接触媒体処理機単体でも媒体処理が可能になるため、小規模なシステムの構築が可能になり、このような非接触媒体処理機の機能をカード式電気錠に持たせれば、カード式電気錠で子媒体を発行することができ、子媒体を発行するための発行器が不要となり、システム構成を簡素化することができる。
【発明を実施するための最良の形態】
【００１８】
以下、本発明を実施するための最良の形態について、添付した図面を参照しながら詳細に説明する。図１は本発明に係る非接触媒体処理システムの概略構成を示すブロック図である。
【００１９】
図１に示すように、本例の非接触媒体処理システム１は、親媒体１０と子媒体２０とを例えば重ねて非接触媒体処理機３０の通信エリア内に同時に存在させ、親媒体１０から取得した媒体処理情報（子媒体２０からの媒体処理情報も含む）に基づいて各種処理を行うものである。
【００２０】
なお、本例の非接触媒体処理システム１では、親媒体１０及び子媒体２０としてカード状記憶媒体（以下カードと記す）を用いた形態で説明するが、非接触通信可能な記憶媒体であれば良い。また、図１の例では、１枚の親媒体１０と３枚の子媒体２０とを示したが、この枚数に限定されるものではない。
【００２１】
親媒体１０は、子媒体２０に対する処理を許可するための媒体である。この親媒体１０は、電磁波や電波を用いて非接触媒体処理機３０との間で非接触通信可能であり、各種情報のリード／ライトが可能な記憶領域を有するＩＣチップで構成されるＲＦＩＤタグ（Radio Frequency Identification  Tag ）を備えている。親媒体１０は、自身が親媒体１０であることを示す固有の識別情報（例えばカードＩＤや製造番号など）に加え、子媒体２０に対する処理を行うためのプログラムコード、子媒体２０に書き込まれる子媒体用データ、子媒体２０を発行する際に発行可能な子媒体２０の種別や発行数を制限するための発行制限情報などの媒体処理情報、非接触媒体処理機３０に係る各種処理情報やデータなどを用途に応じて記憶している。この親媒体１０は、後述する非接触媒体処理機３０の通信エリア内に近接して存在させた際に、識別情報を含む媒体処理情報を非接触媒体処理機３０との間で非接触通信する。
【００２２】
なお、親媒体１０は、ホテルカードロックシステムの場合、被発行カードとしてのキーカード（子媒体２０）に対する処理（各種カードの発行）を許可するためのもので、ホテルの従業員、支配人などがそれぞれ所持し、所持する人に応じた権限を持つ。
【００２３】
子媒体２０は、親媒体１０と同様、非接触媒体処理機３０との間で非接触通信可能なＲＦＩＤタグを備えて構成され、非接触媒体処理機３０が取得する親媒体１０に記憶された媒体処理情報に基づいて各種処理される。また、子媒体２０は、自身が子媒体２０であることを示す固有の識別情報（例えばカードＩＤや製造番号）に加え、用途に応じて非接触媒体処理機３０に係るデータやプログラムなどの各種情報を記憶している。この子媒体２０は、後述する非接触媒体処理機３０の通信エリア内に近接して存在させた際に、識別情報を含む各種情報を非接触媒体処理機３０との間で非接触通信する。
【００２４】
なお、子媒体２０は、ホテルカードロックシステムの場合、宿泊者に対して発行されるキーカードになるものである。
【００２５】
非接触媒体処理機３０は、複数の非接触媒体（１枚の親媒体１０と複数枚の子媒体２０）が通信エリア内に同時に存在する場合に、各媒体に具備されたＲＦＩＤタグから同時に情報の返信を受けることができる衝突防止機能（アンチコリジョン機能）を備えている。非接触媒体処理機３０は、予め決められた通信エリア内に存在する親媒体１０及び子媒体２０との間で非接触通信を行う通信手段３１と、後述する各種処理を実行する制御手段３２とを備えている。非接触媒体処理機３０は、親媒体１０及び子媒体２０が通信エリア内に近接して同時に存在するときに、各媒体に具備されたＲＦＩＤタグからの全ての情報を受信し、その受信した情報に基づいて制御手段３２が各種処理を行う。  
【００２６】
また、非接触媒体処理機３０は、各媒体から送信される各種情報を記憶するための記憶手段３３を備えている。記憶手段３３は、非接触媒体処理機３０を駆動する際に必要な駆動プログラムに加えて、子媒体２０を処理した際の入退室履歴などのログ情報、各媒体から読み取った識別情報などの管理情報を記憶している。
【００２７】
さらに、非接触媒体処理機３０は、子媒体２０に対する処理を行う際に、どの親媒体１０を用いて処理したかを記録しておくため、子媒体２０の処理時に親媒体１０の識別情報を子媒体２０に書き込むとともに、子媒体２０に書き込んだ入退室履歴などのログ情報や処理内容を記憶手段３３に記憶している。
【００２８】
ここで、親媒体１０と子媒体２０を用いて非接触媒体処理機３０の制御手段３２が実行する各種処理機能について具体的に説明する。以下に説明する各処理機能は、システムの用途や使用環境に応じて適宜組み合わせて用いることが可能である。
【００２９】
（基本処理）
非接触媒体処理機３０は、親媒体１０と子媒体２０とが通信エリア内に近接して同時に存在する際に、これら全ての媒体を検知する機能を持ち、検知した親媒体１０が所定の親媒体であるとき、すなわち非接触媒体処理機３０で処理可能な媒体と判断したときに、その親媒体１０から非接触通信により取得した情報（記憶手段３３の所定のメモリエリアやファイルに記述された情報）により、子媒体２０に対する処理を行う。
【００３０】
（プログラム実行処理）
非接触媒体処理機３０は、親媒体１０の所定のメモリエリアやファイルに記述された情報がプログラムコードであるときに、その親媒体１０と子媒体２０とが通信エリア内に近接して同時に存在する際、親媒体１０から非接触通信により取得したプログラムコードに基づくプログラムを実行し、子媒体２０に対する処理を行う。
【００３１】
（カード発行処理）
非接触媒体処理機３０は、子媒体２０をキーカードとして発行する情報やプログラムが親媒体１０に記述されているときに、その親媒体１０と子媒体２０とが通信エリア内に近接して同時に存在する際、親媒体１０から非接触通信により取得した情報やプログラムに基づいて子媒体２０をキーカードとして発行する処理を行う。
【００３２】
（カード発行制限処理）
非接触媒体処理機３０は、子媒体２０の発行制限情報が親媒体１０に記述されているときに、その親媒体１０と子媒体２０とが通信エリア内に近接して同時に存在する際、親媒体１０に記憶されている子媒体２０の発行制限情報を非接触通信で読み取り、この読み取った発行制限情報に基づいて子媒体２０の発行数や発行可能な種別を制限する処理を行う。
【００３３】
（データ書込処理）
非接触媒体処理機３０は、親媒体１０と子媒体２０とが通信エリア内に近接して同時に存在する際に、子媒体２０に記憶させるための子媒体用データと、子媒体２０に子媒体用データを書き込むための処理プログラムとを親媒体１０から非接触通信で読み取り、読み取った媒体処理情報に基づいて必要な子媒体用データを子媒体２０に書き込む処理を行う。また、非接触媒体処理機３０は、カード発行に際して、発行されるキーカード（子媒体２０）に対し、親媒体１０の情報の一部又は全部、又はこれら情報から生成した情報を非接触通信により書き込む処理を行う。
【００３４】
（データ読取処理）
非接触媒体処理機３０に記憶させるためのファームウェアのコードなどの情報を予め分割して複数の子媒体２０に記憶させておく。非接触媒体処理機３０は、親媒体１０と上記コードを記憶した複数の子媒体２０とが通信エリア内に近接して同時に存在する際に、親媒体１０から非接触通信により読み取った媒体処理情報に基づいて各子媒体２０に記憶されたコードを非接触通信により順次読み取り、この読み取ったファームウェアのコードを記憶手段３３の所定のメモリエリアに順次書き込む処理を行う。
【００３５】
（連続データ収集処理）
非接触媒体処理機３０は、親媒体１０と子媒体２０とが通信エリア内に近接して同時に存在する際に、親媒体１０に記憶された媒体処理情報を非接触通信により読み取り、この読み取った媒体処理情報に基づいて自身の記憶手段３３に記憶されている管理情報（例えば入退室履歴のログ情報など）を親媒体１０若しくは子媒体２０に順次書き込む処理を行う。なお、管理情報のデータ容量が大きい場合は、所定容量に分割して複数の子媒体２０に書き込む処理を行う。
【００３６】
そして、以上のように構成される非接触媒体処理システム１では、１枚の親媒体１０と複数枚の子媒体２０とを非接触媒体処理機３０の通信エリアに近接させて同時に存在させると、親媒体１０から媒体処理情報（例えば発行枚数を制限する発行制限情報、各種処理内容）を非接触通信により読み取り、この読み取った情報の内容に基づいて子媒体２０の内容を書き換える処理を実行する（カード発行）。このとき、非接触媒体処理機３０は、１枚の親媒体１０から発行制限情報を読み取っているので、この発行制限情報に応じた枚数分の子媒体２０のみに対して書込処理が実行される。
【００３７】
ところで、上述した処理は非接触媒体処理機３０（制御手段３２）が実行するものであるが、例えばホテルカードロックシステムにおける客室の各扉に具備されたカード式電気錠に非接触媒体処理機３０の機能を持たせることもできる。
【００３８】
この場合、親媒体１０には、カード式電気錠を通常運用モード（キーカードを用いて錠前を施解錠するモード）からカード発行モード（子媒体２０をキーカードとして発行するモード）に切り換えてキーカードを発行する処理プログラムが記述される。
【００３９】
そして、カード式電気錠は、上記処理プログラムが記述された親媒体１０が子媒体２０とともに通信エリア内に近接して同時に存在する際に、親媒体１０から取得した処理プログラムによって通常運用モードからカード発行モードに切り換え、子媒体２０の情報を読み取り、読み取った情報から子媒体２０の種類を判別し、子媒体２０の種類に応じてキーカードを発行する。
【００４０】
具体的に、そのカード式電気錠の錠前を施解錠するために必要な情報（例えば社員カード内の社員コードなどの識別情報）が子媒体２０に予め記憶されている場合には、その子媒体２０から取得した情報を記憶手段３３に記憶し、以後、その子媒体２０をキーカード（鍵）として有効にする。
【００４１】
これに対し、そのカード式電気錠の錠前を施解錠するために必要な情報が子媒体２０に記憶されていない場合（子媒体２０が生カードの場合）には、例えば乱数などにより新しいＩＤ（識別情報）を生成し、そのＩＤを子媒体２０に書き込み、以後、その子媒体２０をキーカード（鍵）として有効にする。
【００４２】
このように、非接触媒体処理機３０の処理機能をカード式電気錠に持たせた場合には、宿泊客が所有するキーカード（子媒体２０）から読み取った施解錠情報の正当性を判別して錠の施解錠を行う通常のカード式電気錠としての施解錠制御機能に加え、上述した非接触媒体処理機３０の機能を兼備するので、例えばフロントや管理室などに非接触媒体処理機３０を設置する必要がなく、システム構成を簡略化してカードの発行を行うことができる。
【００４３】
そして、カード式電気錠に非接触媒体処理機３０の機能を備えるので、宿泊客がキーカード（子媒体２０）を紛失した場合であっても再発行のためにフロントに出向く必要がなく、ホテル従業員のマスターカード（親媒体１０）と別のキーカード（子媒体２０）を同時にカード式電気錠の通信エリア内に同時に近接して存在させることで、新規のキーカード（子媒体２０）を容易に発行することが可能になる。
【００４４】
なお、子媒体２０によって新規のキーカードを発行した場合は、カード式電気錠に新規発行したキーカード（子媒体２０）の識別情報が記憶されるので、紛失したキーカード（子媒体２０）を使用したとしても識別情報が異なるため使用不可となる。
【００４５】
このように、上述した非接触媒体処理システム１は、子媒体２０の発行制限を行う発行制限情報や子媒体２０に子媒体用データなどの媒体処理情報を記憶する親媒体１０と、親媒体１０によって処理される子媒体２０とを非接触媒体処理機３０の通信エリア内に同時に存在させ、非接触媒体処理機３０が各媒体に記憶された情報を非接触通信により読み取る。そして、非接触媒体処理機３０は、親媒体１０から非接触通信により読み取った媒体処理情報に基づいて発行できる種別や発行数を制限して子媒体２０を発行する。これにより、不用意に権限のない子媒体２０を発行したり、不正に子媒体２０を発行することを防止でき、十分なセキュリティ性が確保できる信頼性の高い非接触媒体処理システム１を提供することができる。
【００４６】
また、非接触媒体処理機３０は、親媒体１０の所定のメモリエリアやファイルに記述された情報がプログラムコードであって、親媒体１０と子媒体２０が通信エリアに同時に存在するときに、親媒体１０から非接触通信により取得したプログラムを実行し、子媒体２０に対する処理を行うインタプリタ機能を実現することができる。
【００４７】
さらに、非接触媒体処理機３０の機能をカード式電気錠に持たせた場合、検出対象となる親媒体１０に子媒体２０を発行する情報やプログラムを記述しておけば、親媒体１０と子媒体２０を同時に通信エリアに存在させたときに、子媒体２０をキーカードとして発行を行うことができる。これにより、カード式電気錠だけでキーカードの発行が可能となり、発行機が不要となる。例えば賃貸住宅の家主が持つ親媒体１０と子媒体２０をカード式電気錠に同時にかざせば、子媒体２０が新しいキーカードとして発行される。
【００４８】
また、発行可能な媒体の種別ごとの権限を親媒体１０に設定し、その権限により発行できる媒体の種別を制限すれば、マスターカード（親媒体１０）ごとに発行できるキーカード（子媒体２０）を制限することができる（オーソリゼーション機能）。
【００４９】
さらに、発行されるキーカード（子媒体２０）に対し、親媒体１０の情報の一部又は全部、又はこれらの情報から生成した情報を書き込むことができる。例えばマスターカード（親媒体１０）に基本のＩＤがある場合、キーカード（子媒体２０）の発行時に、どのマスターカード（親媒体１０）を同時にかざしたかを示す情報として、基本ＩＤに追番や枝番を付与してキーカード（子媒体２０）に書き込めば、基本ＩＤと意味付けを持ったデータによりキーカード（子媒体２０）を管理することができる。
【００５０】
また、複数枚の子媒体２０に対し、非接触媒体処理機３０のファームウェアのコードを分割して記録しておき、親媒体１０と複数の子媒体２０とを同時に通信エリアに存在させたときに、複数の子媒体２０から順次コードを非接触通信により読み取り、読み取ったコードを非接触媒体処理機３０の所定のメモリエリアに書き込むことができる。これにより、１枚の親媒体１０に情報が納まらない場合、続きの情報（データやプログラム）を複数の子媒体２０に分割して記録させておき、親媒体１０と複数の子媒体２０から非接触通信により取得した情報を非接触媒体処理機３０の所定のメモリエリアに書き込むことができる。
【００５１】
さらに、親媒体１０と複数の子媒体２０とを同時に通信エリアに存在させたとき、非接触媒体処理機３０の記憶手段３３のメモリエリアの情報（例えばホテルカードロックシステムに採用した場合には、入退室履歴のログ情報）を読み取り、読み取った情報を順次子媒体２０に非接触通信により書き込むことができる。その際、記憶手段３３の情報量が多くても、複数枚の子媒体２０に分けて同時に処理することができる。これにより、非接触媒体処理機３０の情報を親媒体１０や複数の子媒体２０を用いて外部に取り出し、連続データとして収集することができる。
【図面の簡単な説明】
【００５２】
【図１】本発明に係る非接触媒体処理システムの概略構成を示すブロック図である。
【図２】特許文献１に開示される出入管理システムの一例を示す説明図である。
【図３】従来のカード発行システムの一例を示す説明図である。
【符号の説明】
【００５３】
１  非接触媒体処理システム
１０  親媒体
２０  子媒体
３０  非接触媒体処理機（カード式電気錠）
３１  通信手段
３２  制御手段
３３  記憶手段
【図１】
2007328607.tif 000003
【図２】
2007328607.tif 000004
【図３】
2007328607.tif 000005